(57)【要約】【課題】ランナーユニットの調整機構における動作変換構造を簡素化でき、しかも調整作業を作業者の意図どおりに的確に行なえるランナーユニットを提供する。【解決手段】走行部５Ａと、装着部５Ｂと、ランナー軸７とを備えたランナーユニットにおいて、走行部５Ａのボディ１０に、ランナー軸７を調整対象とする高さ調整機構を組み付ける。高さ調整機構は、調整ねじ２８と、調整ピース２９と、複数個のボール４４を伝動要素とする伝動体３０と、伝動体３０用のガイド溝１７などで構成する。伝動体３０は、調整ピース２９の操作腕４１と、ランナー軸７の受動片２２との間に配置する。伝動体３０の中途部をガイド溝１７で屈曲案内して、調整ねじ２８の調整動作を４個のボール４４でランナー軸７に直接伝動する。同時に、４個のボール４４とガイド溝１７との協同作用で、調整ねじ２８の調整動作をランナー軸７の調整移動方向へ直接変換する。【選択図】図１
2011246939.tif 000002
【特許請求の範囲】
【請求項１】
ガイドレール（１）で走行案内されるランナーユニット（５）に、戸パネル（Ｐ１・Ｐ２）の高さや前後位置を調整する調整機構が組み込まれており、
調整機構は、回転可能に支持した調整ねじ（２８）と、調整ねじ（２８）のねじ込み動作を調整対象（７）に直接伝動する伝動体（３０）とを含み、
伝動体（３０）が、断面が円形の転動体、密巻きしたばね体（５５）、屈曲可能なワイヤー、屈曲可能なフレキシブル軸（５７）、屈曲可能なチェーンリンク、および屈曲可能なばね板、ボールチェーンから選択される少なくともいずれかひとつを伝動要素にして構成されており、
伝動体（３０）を中途部が屈曲する状態で配置して、調整ねじ（２８）の調整動作を調整対象（７）の調整移動方向へ直接変換できることを特徴とするランナーユニット。
【請求項２】
ガイドレール（１）で走行案内される走行部（５Ａ）と、戸パネル（Ｐ１・Ｐ２）に装着される装着部（５Ｂ）と、これら両者（５Ａ・５Ｂ）を連結するランナー軸（７）とを備えた吊車型のランナーユニットであって、
走行部（５Ａ）のボディ（１０）に、ランナー軸（７）を調整対象とする高さ調整機構が組み付けられており、
高さ調整機構が、調整ねじ（２８）と、複数個のボール（４４）あるいは複数個のローラーからなる伝動体（３０）と、伝動体（３０）を収容するガイド溝（１７）を含む請求項１に記載のランナーユニット。
【請求項３】
高さ調整機構が、走行部（５Ａ）のボディ（１０）で回転のみ自在に支持した調整ねじ（２８）と、調整ねじ（２８）で往復操作される調整ピース（２９）と、調整ピース（２９）とランナー軸（７）の受動片（２２）との間に配置した２組の伝動体（３０）とで構成されており、
２組の伝動体（３０）が、ランナー軸（７）の対向する周面に分離配置してある請求項１または２に記載のランナーユニット。
【請求項４】
走行部（５Ａ）のボディ（１０）が、ランナー軸（７）の軸中心を通る垂直面で分割された前後ケース（１０ａ・１０ｂ）を接合して構成されており、
前後ケース（１０ａ・１０ｂ）の分割面に臨んで、ランナー軸（７）を収容する軸穴（１５）と、調整ねじ（２８）および調整ピース（２９）を収容する調整穴（１６）と、伝動体（３０）を収容するガイド溝（１７）とが形成してある請求項２または３に記載のランナーユニット。
【請求項５】
ガイド溝（１７）が、ランナー軸（７）の受動片（２２）の上下動を許す上直線溝（４７）と、調整ピース（２９）に設けた操作腕（４１）の往復動を許す下直線溝（４８）と、これら直線溝（４７・４８）の間に設けられる変向溝（４９）とでへ字状に形成してある請求項２、３または４に記載のランナーユニット。
【請求項６】
調整ねじ（２８）が調整穴（１６）に装填した第１・第２の軸受体（３１・３２）で回転自在に軸支されており、
調整ピース（２９）が、調整ねじ（２８）のねじ軸（３６）に噛み合う雌ねじ部（４０）と、雌ねじ部（４０）から突設されて、伝動体（３０）を受け止める前後一対の操作腕（４１）とで構成してある請求項３から５のいずれかひとつに記載のランナーユニット。
【請求項７】
丸軸状のランナー軸（７）の上部に、前後に平行な平坦面（２０）を備えた調整軸部（２１）が設けられており、
調整軸部（２１）の平坦面（２０）に、前後一対の受動片（２２）が張り出し形成されており、
ガイド溝（１７）の上直線溝（４７）と変向溝（４９）の開口が、調整軸部（２１）の平坦面（２０）で塞いである請求項３から６のいずれかひとつに記載のランナーユニット。
【請求項８】
ガイドレール（１）で走行案内される走行部（５Ａ）と、戸パネル（Ｐ１・Ｐ２）に装着される装着部（５Ｂ）と、これら両者を連結するランナー軸（７）とを備えた吊車型のランナーユニットであって、
走行部（５Ａ）に、ランナー軸（７）を調整対象とする高さ調整機構が組み付けられており、
高さ調整機構が、走行部（５Ａ）のボディ（１０）にねじ込んだ調整ねじ（２８）と、調整ねじ（２８）とランナー軸（７）の受動壁（５６）との間に配置される伝動体（３０）とで構成されており、
伝動体（３０）が、密巻きしたばね体（５５）、屈曲可能なワイヤー、屈曲可能なフレキシブル軸（５７）、屈曲可能なチェーンリンク、屈曲可能なばね板、ボールチェーンから選択される少なくともいずれかひとつを伝動要素にして構成してある請求項１、３、４、５、７のいずれかひとつに記載のランナーユニット。
【発明の詳細な説明】
【技術分野】
【０００１】
本発明は、折戸や引戸に適用されるランナーユニットに関し、高さ調整機構や前後調整機構に代表される調整機構を改良したものである。
【背景技術】
【０００２】
この種のランナーユニットのひとつに吊車型のランナーユニットがある。そこでは、ガイドレールで走行案内される走行部と、戸パネルに固定される装着部と、これら両者を連結するランナー軸などでランナーユニットを構成している。装着部は、戸パネルに埋設する状態で組み付けることが多く、その内部には高さ調整機構や前後調整機構などの調整機構を組み込むことが多い。例えば特許文献１の吊車型のランナーユニットでは、装着部の内部に高さ調整機構と前後調整機構を設けている。高さ調整機構は、調整ねじと、調整ねじで往復操作される調整ピースと、調整ピースの往復動作を上下動作に変換する逆Ｌ字状のレバーとからなる。前後調整機構は、調整ねじと、ランナー軸を支持するランナー台と、ランナー台で縦軸回りに回転自在に支持した雌ねじ体とからなり、調整ねじでランナー台を前後に揺動操作して前後調整できるようにしている。
【０００３】
特許文献２の吊車型のランナーユニットでは、走行部のボディに高さ調整機構を設けており、同機構は、調整ねじと、調整ねじで往復操作される調整ピースと、調整ピースの往復動作を上下動作に変換するレバーとで構成してある。レバーは、ローラー軸を利用して揺動可能に支持してあり、その操作端でランナー軸を支持している。
【０００４】
同様に、特許文献３の吊車型のランナーユニットにおいても、高さ調整機構を走行部のボディに設けている。そこでは、ランナー軸の上端に逆台形状の調整体を固定しておき、その傾斜面をボディにねじ込んだ調整ねじで直接調整操作して、ランナー軸の高さを調整できるようにしている。
【先行技術文献】
【特許文献】
【０００５】
【特許文献１】特開２００８−３０３６５３号公報（段落番号００２７、図６）
【特許文献２】特開２００５−１７１７１４号公報（段落番号００２７、図４）
【特許文献３】特開平１１−０８１７８５号公報（段落番号００２３、図７）
【発明の概要】
【発明が解決しようとする課題】
【０００６】
特許文献１のランナーユニットや、特許文献２のランナーユニットでは、調整ねじと、調整ピースと、動作変換用のレバーなどで高さ調整機構を構成しており、調整ねじを回転操作するだけで、ランナー軸を上下に調整移動して戸パネルの高さを調整できる。しかし、調整ねじと、調整ピースと、レバーとの三者で動作変換を行なって、ランナー軸を上下に調整するので、高さ調整機構が占める空間が大きくなるのを避けられず、走行部や、装着部を小形化するうえで限界があった。高さ調整機構の構成部品点数が多いため部品コストが嵩み、さらに組み付けに手間が掛かることもあり、ランナーユニットのコストが高くなるのを避けられない。加えて、高さ調整機構に加えて前後調整機構を備えていることが標準化されている現状では、ランナーユニットの構造が複雑化し、コストはさらに嵩みやすい。
【０００７】
その点、ランナー軸の上端に固定した調整体を、走行部のボディにねじ込んだ調整ねじで直接に調整操作する特許文献３のランナーユニットによれば、部品点数が少ない分だけ高さ調整機構の構造を簡素化し、組み付けに要する手間も軽減できる。しかし、調整体の斜面と直交する調整ねじで調整体を直接に調整操作するので、調整時には、調整体の斜面が調整ねじの突端面に沿ってスライドしながら上下動するのを避けられず、調整ねじのねじ込み操作に大きな力を要する。また、調整ねじを一定量ねじ込むときのランナー軸の調整移動量が小さい不利もある。
【０００８】
上記のように、従来の調整機構は、調整ねじとランナー軸（調整対象）とを交差配置する関係上、両者の間にカムやレバーなどの動作変換構造を設ける必要があり、これが調整機構を複雑化し、ランナーユニットの小形化を阻む要因となっていた。加えて、調整ねじ、調整ピース、レバーなどの動作変換構造を構成する部品の寸法のばらつきによって、調整ねじのねじ込み動作とランナー軸の調整動作とに動作遅れを生じやすく、そのため、作業者の意図どおりに調整作業を行なうのが困難であった。また、動作変換構造を介さずに、調整体を調整ねじで直接的に調整操作する調整機構においては、調整操作を円滑にしかも軽快に行なえない点で操作性に問題がある。
【０００９】
本発明は上記の技術背景の下に提案されたものであって、その目的とするところは、動作変換構造を簡素化して調整機構を簡素化し、走行部や装着部を小形化できるランナーユニットを提供することにある。
本発明の目的は、動作変換構造を構成する部品の寸法のばらつきに伴なう調整対象の調整動作の遅れを一掃でき、したがって、作業者の意図どおりに調整作業を的確に、しかも軽快に行なうことができるランナーユニットを提供することにある。
【課題を解決するための手段】
【００１０】
本発明に係るランナーユニットは、ガイドレール１で走行案内されるランナーユニット５に、戸パネルＰ１・Ｐ２の高さや前後位置を調整する調整機構が組み込んである。調整機構は、回転可能に支持した調整ねじ２８と、調整ねじ２８のねじ込み動作を調整対象７に直接伝動する伝動体３０とを含む。伝動体３０は、断面が円形の転動体、密巻きしたばね体５５、屈曲可能なワイヤー、屈曲可能なフレキシブル軸５７、屈曲可能なチェーンリンク、屈曲可能なばね板、およびボールチェーンから選択される少なくともいずれかひとつを伝動要素にして構成する。伝動体３０を中途部が屈曲する状態で配置して、調整ねじ２８の調整動作を調整対象７の調整移動方向へ直接変換できることを特徴とする。伝動体３０を中途部が屈曲する状態で配置するとは、図１１に示すように伝動体３０が周回状に連続している形態を含むこととする。
【００１１】
本発明におけるランナーユニットとは、吊車型のランナーユニットにおいては、ガイドレール１で走行案内される走行部５Ａと、戸パネルＰ１・Ｐ２に装着される装着部５Ｂと、これら両者５Ａ・５Ｂを連結するランナー軸７とを含む概念である。また、戸車型のランナーユニットにおいては、ハウジングと車輪などを含む概念である。
【００１２】
ガイドレール１で走行案内される走行部５Ａと、戸パネルＰ１・Ｐ２に装着される装着部５Ｂと、これら両者５Ａ・５Ｂを連結するランナー軸７とを備えた吊車型のランナーユニットにおいて、走行部５Ａのボディ１０に、ランナー軸７を調整対象とする高さ調整機構を組み付ける。高さ調整機構は、調整ねじ２８と、複数個のボール４４あるいは複数個のローラーからなる伝動体３０と、伝動体３０を収容するガイド溝１７を含む。
【００１３】
高さ調整機構は、走行部５Ａのボディ１０で回転のみ自在に支持した調整ねじ２８と、調整ねじ２８で往復操作される調整ピース２９と、調整ピース２９とランナー軸７の受動片２２との間に配置した２組の伝動体３０とで構成する。２組の伝動体３０は、ランナー軸７の対向する周面に分離配置する。
【００１４】
走行部５Ａのボディ１０は、ランナー軸７の軸中心を通る垂直面で分割された前後ケース１０ａ・１０ｂを接合して構成する。前後ケース１０ａ・１０ｂの分割面に臨んで、ランナー軸７を収容する軸穴１５と、調整ねじ２８および調整ピース２９を収容する調整穴１６と、伝動体３０を収容するガイド溝１７を形成する。
【００１５】
ガイド溝１７は、ランナー軸７の受動片２２の上下動を許す上直線溝４７と、調整ピース２９に設けた操作腕４１の往復動を許す下直線溝４８と、これら直線溝４７・４８の間に設けられる変向溝４９とでへ字状に形成する。
【００１６】
調整ねじ２８は調整穴１６に装填した第１・第２の軸受体３１・３２で回転自在に軸支する。調整ピース２９は、調整ねじ２８のねじ軸３６に噛み合う雌ねじ部４０と、雌ねじ部４０から突設されて、伝動体３０を受け止める前後一対の操作腕４１とで構成する。
【００１７】
丸軸状のランナー軸７の上部に、前後に平行な平坦面２０を備えた調整軸部２１を設ける。調整軸部２１の平坦面２０に、前後一対の受動片２２を張り出し形成する。ガイド溝１７の上直線溝４７と変向溝４９の開口を、調整軸部２１の平坦面２０で塞ぐ。
【００１８】
ガイドレール１で走行案内される走行部５Ａと、戸パネルＰ１・Ｐ２に装着される装着部５Ｂと、これら両者を連結するランナー軸７とを備えた吊車型のランナーユニットにおいて、走行部５Ａにランナー軸７を調整対象とする高さ調整機構を組み付ける。高さ調整機構は、走行部５Ａのボディ１０にねじ込んだ調整ねじ２８と、調整ねじ２８とランナー軸７の受動壁５６との間に配置される伝動体３０とで構成する。伝動体３０は、密巻きしたばね体５５、屈曲可能なワイヤー、屈曲可能なフレキシブル軸５７、屈曲可能なチェーンリンク、屈曲可能なばね板、およびボールチェーンから選択される少なくともいずれかひとつを伝動要素にして構成する。
【発明の効果】
【００１９】
本発明においては、回転可能に支持した調整ねじ２８と、調整ねじ２８のねじ込み動作を調整対象７に直接伝動する伝動体３０を含んで調整機構を構成した。また、伝動体３０は、例えばボールやローラーなどの断面が円形の転動体や、屈曲可能なフレキシブル軸などを伝動要素にして構成し、伝動体３０を中途部が屈曲する状態で配置した。このように、伝動体３０を中途部が屈曲する状態で配置すると、操作力の伝動と、調整ねじ２８の調整動作を調整対象７の調整移動方向へ変換する動作変換とを同時に行なえるので、動作変換構造を簡素化できる。
【００２０】
また、動作変換構造を簡素化できる分だけ、全体コストを削減しながら、例えばランナーユニットの走行部５Ａや装着部５Ｂを小形化しコンパクト化できる。さらに、中途部が屈曲する伝動体３０で、操作力の伝動と動作方向の変換とを同時に行なうので、伝動体３０の入力端と出力端において動作遅れを生じる余地がなく、動作変換構造を構成する部品の寸法のばらつきに伴なう調整対象の調整動作の遅れを一掃できる。したがって、調整作業を作業者の意図どおりに的確に、しかも軽快に行なうことができる。
【００２１】
ボディ１０に設けた高さ調整機構を、調整ねじ２８と、ボール４４やローラーを伝動要素とする伝動体３０と、伝動体３０用のガイド溝１７などで構成すると、調整ねじ２８の調整動作を円滑に、しかも遅滞なくランナー軸７に伝えることができる。ボール４４やローラーが転動しながら動作変換を行なえるうえ、伝動体３０が不適切に屈曲するのをガイド溝１７で規制して確動機構化できるからである。また、複数個のボール４４やローラーは隙間のない状態で連続しているので、伝動体３０の入出力端における移動量を一致させることができ、調整ねじ２８の調整量と同じ量だけランナー軸７を調整して、さらに正確に調整作業を行なうことができる。
【００２２】
調整ねじ２８と、調整ピース２９と、２組の伝動体３０とで構成高さ調整機構を構成し、ランナー軸７の対向する周面に２組の伝動体３０を分離配置すると、ランナー軸７の受動片２２を２組の伝動体３０で安定した状態でバランスよく支持できる。また、調整ねじ２８の調整動作を、ランナー軸７の受動片２２に対して２組の伝動体３０で均等に伝動できる。したがって、全体として走行部５Ａに偏加重が作用するのを防止して、常に安定した状態で走行部５Ａをガイドレール１に沿って移動させることができる。
【００２３】
分割された前後ケース１０ａ・１０ｂでボディ１０を構成し、前後ケース１０ａ・１０ｂの分割面に臨んで軸穴１５と調整穴１６とガイド溝１７を形成すると、前後ケース１０ａ・１０ｂを成形する過程で軸穴１５、調整穴１６、およびガイド溝１７を一気に形成できる。また、分割された前後ケース１０ａ・１０ｂの一方に大半の部品を組み付けることができるので、調整機構の組み立てに要する手間を軽減でき、全体としてランナーユニットの製造コストを削減できる。
【００２４】
ガイド溝１７を上直線溝４７と、下直線溝４８と、両溝４７・４８の間の変向溝４９とでへ字状に形成すると、伝動体３０が変向溝４９を通過する過程で、動作変換を円滑にしかも的確に行なえる。また、伝動体３０の入力端と出力端における移動動作が、上直線溝４７および下直線溝４８に沿う直線動作となるので、調整ねじ２８から伝動体３０の入力端への伝動構造や、伝動体３０の出力端からランナー軸７への伝動構造を簡素化できる。
【００２５】
調整ねじ２８を第１・第２の軸受体３１・３２で回転自在に軸支すると、常に安定した状態で調整ねじ２８を回転操作でき、しかも調整ねじ２８をねじ軸心方向へがたつく余地のない状態でしっかりと支持できる。したがって、調整ねじ２８の調整操作をより確実に行なえる。また、雌ねじ部４０と、伝動体３０を受け止める前後一対の操作腕４１とで構成した調整ピース２９によれば、２組の伝動体３０を前後一対の操作腕４１で同時に移動操作できるので、調整ねじ２８から伝動体３０の入力端に至る伝動構造を簡素化できる。
【００２６】
調整軸部２１の平坦面２０に張り出した前後一対の受動片２２は、ガイド溝１７の内部に入り込んで伝動体３０の出力端で支持される。また、平坦面２０は、ガイド溝１７の上直線溝４７と変向溝４９の開口を塞いで、伝動体３０が上直線溝４７および変向溝４９からはみ出るのを防止できる。これにより、伝動体３０がガイド溝１７から脱落するのを確実に防止でき、とくにボール４４やローラーを伝動要素とする場合であっても、これらの伝動要素をガイド溝１７に沿って的確に移動案内することができる。
【００２７】
ボディ１０に設けた高さ調整機構の伝動体３０を、ばね体５５と、ワイヤーと、フレキシブル軸５７と、チェーンリンクと、ばね板、ボールチェーンのいずれかを伝動要素にして構成すると、ボール４４やローラーを伝動要素とする場合に比べて、伝動体３０を簡素化できる。調整ねじ２８とランナー軸７との間の操作力の伝動と、動作方向の変換とを、中途部が屈曲する少なくとも１個の伝動要素で同時に行なえるからである。
【図面の簡単な説明】
【００２８】
【図１】本発明の実施例１に係る高さ調整機構を示す縦断正面図である。
【図２】折戸の正面図である。
【図３】図１とは異なる部位を破断した高さ調整機構の縦断正面図である。
【図４】走行部の分解断面図である。
【図５】図３におけるＡ−Ａ線断面図である。
【図６】図３におけるＢ−Ｂ線断面図である。
【図７】図３におけるＣ−Ｃ線断面図である。
【図８】本発明の実施例２に係る高さ調整機構を示す縦断正面図である。
【図９】本発明の実施例３に係る高さ調整機構を示す縦断正面図である。
【図１０】伝動要素の変更例を示す一部破断正面図である。
【図１１】本発明の実施例４に係る前後調整機構を示す縦断正面図である。
【図１２】実施例４に係る前後調整機構の縦断正面図である。
【図１３】実施例４に係る前後調整機構の縦断側面図である。
【図１４】参考例に係る高さ調整機構を示す縦断正面図である。
【図１５】別の参考例に係る高さ調整機構を示す縦断正面図である。
【発明を実施するための形態】
【００２９】
（実施例１）  図１ないし図７は本発明に係るランナーユニットをフリー折戸に適用した実施例１を示す。本発明における前後・左右・上下とは、図２に示す交差矢印と、各矢印の近傍に表示した前後・左右・上下の表記に従うものとする。図２に示すフリー折戸は、２組のパネル対で構成されており、各パネル対は開口枠の上下に設けたガイドレール１・２で屈折自在に案内支持してある。各パネル対は、２個の戸パネルＰ１・Ｐ２の隣接縁どうしをヒンジ３で屈折自在に連結して構成してあり、パネル対の両側端の上下に設けたランナーユニット５と振れ止め６を上下のガイドレール１・２で走行案内して、開口面を開閉できるようにしてある。符号４は開閉用の把手である。上側のガイドレール１は、下向きに開口する断面Ｃ字状のアルミニウム条材（金属条材）からなり、その下面側の前後にランナーユニット５のローラー１１を転動案内するレール壁８を有し、両レール壁８の間にレール開口が設けてある（図５参照）。
【００３０】
図３においてランナーユニット５は、ガイドレール１で走行案内される走行部５Ａと、戸パネルＰ１・Ｐ２に装着される装着部５Ｂと、これら両者を連結するランナー軸７とで構成する。走行部５Ａは、横長ブロック状のボディ１０と、ボディ１０の前後面に配置した４個のローラー１１と、前後のローラー１１を遊転自在に軸支するローラー軸１２と、ボディ１０の内部に組み込んだ高さ調整機構（調整機構）などで構成する。左右のローラー軸１２の間の、ボディ１０の前後中央にランナー軸７が配置され、高さ調整機構で支持してある。
【００３１】
図４に示すようにボディ１０は、ランナー軸７の軸中心を通る垂直面で分割した前ケース１０ａおよび後ケース１０ｂを接合して構成する。前後ケース１０ａ・１０ｂの分割面には、ランナー軸７を収容する上下方向の軸穴１５と、高さ調整機構の構成部品を収容する調整穴１６、およびガイド溝１７が凹み形成してある。このように、前後ケース１０ａ・１０ｂの分割面に軸穴１５、調整穴１６、ガイド溝１７を凹み形成すると、前後ケース１０ａ・１０ｂの成形時に軸穴１５、調整穴１６、ガイド溝１７を同時にしかも正確に形成できるので、走行部５Ａをより少ないコストで製造できる。
【００３２】
図１に示すように、調整穴１６は、ボディ１０の側端面の下部から軸穴１５にわたって、斜め上向きに傾斜する状態で形成してある。前後ケース１０ａ・１０ｂの分割面どうしを接合し、両ケース１０ａ・１０ｂを前後に貫通するかしめピン１８で固定することにより、前後ケース１０ａ・１０ｂを分離不能に一体化できる。左右のローラー軸１２も、前後ケース１０ａ・１０ｂを一体化した状態を保持することに役立っている。
【００３３】
ランナー軸７は、下端にフランジ１９（図３参照）が張り出してある丸軸からなるが、その上部の前後には平行な平坦面２０を備えた調整軸部２１が設けてあり、調整軸部２１の平坦面２０の上端に、前後一対の受動片２２が張り出してある（図４参照）。ランナー軸７をボディ１０に組み付けた状態において、先の受動片２２が後述する伝動体３０で支持される。
【００３４】
軸穴１５は、調整軸部２１を収容する断面が四角形の上軸穴２４と、ランナー軸７の丸軸部分を収容する下軸穴２５とで構成する。そのため、ランナー軸７とボディ１０とは相対回動できない。しかし、ランナー軸７の丸軸部分と装着部５Ｂとは相対回動できるので、折り畳み開閉するときの戸パネルＰ１・Ｐ２とランナー軸７との相対動作は、装着部５Ｂで吸収することができる。
【００３５】
高さ調整機構は、ランナー軸７を調整対象としており、調整ねじ２８と、調整ねじ２８で往復操作される調整ピース２９と、調整ピース２９とランナー軸７の受動片２２との間に配置した伝動体３０と、第１・第２の軸受体３１・３２とガイド溝１７などで構成する。
【００３６】
調整ねじ２８は、操作頭部３５と、操作頭部３５に連続するねじ軸３６と、ねじ軸３６より小径の支軸３７とを備えており、ねじ軸３６の基部に外嵌した平座金状の第１軸受体３１と、支軸３７を支持する第２軸受体３２とで回転自在に軸支してある。第２軸受体３２は逆台形状のプラスチックブロックからなり、その上下中央に支軸３７用の軸受穴３３が貫通する状態で形成してある。調整ねじ２８に第１・第２の軸受体３１・３２を組み付け、第１軸受体３１を調整穴１６の装填溝３８に差し込み装着し、さらに、第２軸受体３２を調整穴１６の内奥に装着することにより、調整ねじ２８が回転のみ自在に支持される。この状態の調整ねじ２８の中心軸は、軸穴１５ヘ向かって上り傾斜している。図４に示すように調整穴１６は、操作頭部３５を収容する傾斜下端側の丸穴と、ねじ軸３６や第２軸受体３２および調整ピース２９を収容する断面が四角形の角穴とからなる。
【００３７】
調整ピース２９は、調整ねじ２８のねじ軸３６に噛み合う四角形状の雌ねじ部４０と、雌ねじ部４０から突設される前後一対の操作腕４１とを一体に備えたダイキャスト成形品からなる。雌ねじ部４０にはねじ軸３６に噛み合うねじ穴４２が形成してある。先の第２軸受体３２の前後厚みは、前後一対の操作腕４１の対向間隔より僅かに小さく設定してある。ねじ軸３６にねじ込んだ調整ピース２９を、調整ねじ２８とともに調整穴１６に組み込んだ状態では、前後一対の操作腕４１の突端が、ガイド溝１７内へ入り込んでいる。
【００３８】
伝動体３０は、断面が円形の転動体と、密巻きしたばね体と、屈曲可能なワイヤーと、屈曲可能なフレキシブル軸と、屈曲可能なチェーンリンクと、屈曲可能なばね板と、ボールチェーンの少なくともいずれかひとつを伝動要素にして構成する。この実施例では、４個のボール（鋼球）４４を伝動要素にして伝動体３０を構成し、２組の伝動体３０をランナー軸７の対向する周面に分離配置した。詳しくは、４個のボール（転動体）４４を平坦面２０に接する状態でランナー軸７の前後に配置して、ガイド溝１７で移動案内するようにした。
【００３９】
ガイド溝１７は断面コ字状の溝からなり、ランナー軸７の受動片２２の上下動を許す上直線溝４７と、調整ピース２９の操作腕４１の往復動を許す斜めの下直線溝４８と、これらの直線溝４７・４８の間に設けられる変向溝４９とでへ字状に形成してある。このように、ガイド溝１７をへ字状に形成すると、４個のボール４４を入出力端間の中途部で屈曲させて、調整ねじ２８のねじ込み動作を、伝動体３０でランナー軸７の上下動作に直接変換することができる。
【００４０】
ガイド溝１７の溝幅は、ボール４４の直径に僅かな余裕寸法を加えた寸法に設定してあり、例えば、操作腕４１に外接する入力端のボール４４が調整ピース２９で変向溝４９へ向かって押し込み操作されるとき、４個のボール４４は同時に転がり移動する。このときの入力端のボール４４の移動量と、受動片２２に外接する出力端のボール４４の移動量とは同じである。また、４個のボールは殆ど隙間のない状態で連続しているので、入出力端のボール４４の動きに動作遅れを生じることはない。
【００４１】
図１および図３に示すように、高さ調整機構とランナー軸７をボディ１０に組み込んだ状態においては、上直線溝４７および変向溝４９の開口面は、ランナー軸７の前後の平坦面２０で塞がれており、下直線溝４８の開口面は、第２軸受体３２の前後面で塞がれている。したがって、ボール４４がガイド溝１７から脱落することはなく、４個のボール４４をガイド溝１７に沿って的確に移動できる。図１に示すように、出力端のボール４４がガイド溝１７の変向溝４９に位置している状態では、受動片２２は上直線溝４７の下部に位置しており、操作腕４１の突端は下直線溝４８の調整穴１６寄りに位置している。また、調整ピース２９の雌ねじ部４０は、第１軸受体３２の近傍に位置している。このときの戸パネルＰ１・Ｐ２の上面は、ガイドレール１から最も遠く離れた位置にある。
【００４２】
上記の状態から、操作頭部３５にあてがったドライバーＴで調整ねじ２８を緩み側へ回転操作すると、図３に示すように、雌ねじ部４０がねじ軸３６の基端部分から中途部へ移動し、その分だけ操作腕４１が下直線溝４８の内部へ進入する。また、操作腕４１の進入寸法と同じ距離だけ、４個のボール４４が同時に移動して、出力端に位置するボール４４によって、ランナー軸７が伝動体３０を介して上向きに押し上げられる。その結果、図１において実線位置にあった戸パネルＰ１・Ｐ２は想像線で示すように上方へ移動し、ガイドレール１との上下間隔が小さくなる。この状態から、調整ねじ２８をねじ込み操作すると、雌ねじ部４０がねじ軸３６の基端部分へ近づくので、ランナー軸７が伝動体３０とともに下降し、戸パネルＰ１・Ｐ２はより低い位置へ調整移動することになる。
【００４３】
以上のように、回転可能に支持した調整ねじ２８のねじ込み動作を、調整ピース２９と伝動体３０でランナー軸７に直接伝動する高さ調整機構によれば、従来のこの種の調整機構に比べて動作変換構造を簡素化できる。これは、調整ねじ２８の調整動作を４個のボール４４でランナー軸７に直接伝動できるうえ、４個のボール４４とガイド溝１７との協同作用で、調整ねじ２８の調整動作をランナー軸７の調整移動方向へ直接変換できるからである。また、動作変換構造を簡素化できる分だけ、全体コストを削減しながら、動作変換構造が占める空間をより小さくして走行部５Ａを小形化しコンパクト化できる。
【００４４】
さらに、先に説明したように、伝動体３０の入力端と出力端において動作遅れを生じる余地がないので、動作変換構造を構成する部品の寸法のばらつきに伴なう調整対象の調整動作の遅れを一掃できる。したがって、調整作業を作業者の意図どおりに的確に、しかも軽快に行なうことができる。
【００４５】
（実施例２）  図８は、本発明に係るランナーユニットの実施例２を示す。そこでは、高さ調整機構を、ボディ１０の調整穴１６にねじ込んだ調整ねじ２８と、２個のボール４４を伝動要素とする伝動体３０と、ランナー軸７の上端に固定した受動枠５１と、ボール４４を移動案内するガイド溝１７とで構成した。受動枠５１は、ランナー軸７を前後に貫通するピン５２で固定してあり、その上端の一側には受動片２２が張り出してある。ピン５２は、ボディ１０に設けたスライド溝５３に沿って上下動できる。軸穴１５は、受動枠５１の上下動を許す上軸穴２４と、ランナー軸７を支持する下軸穴２５とで構成してある。このように、ボディ１０にねじ込んだ調整ねじ２８でボール４４を直接移動操作する場合には、調整ピース２９を省略して高さ調整機構の構造をさらに簡素化できる。他は先の実施例と同じであるので、同じ部材に同じ符号を付してその説明を省略する。以下の実施例においても同じとする。
【００４６】
（実施例３）  図９は、本発明に係るランナーユニットの実施例３を示す。そこでは、伝動体３０を密巻きしたばね体５５で形成し、ランナー軸７の上端に上拡がりテーパー状の受動壁５６を備えた受動枠５１をピン５２で固定した。ばね体５５はガイド溝１７に装填されて、その入力端が調整ねじ２８の軸端に外接しており、その出力端が受動壁５６に外接している。調整ねじ２８の軸端および受動壁５６には、それぞればね体５５に内嵌するばね受座が突設してある。このように、密巻きした１個のばね体５５を伝動要素とする伝動体３０によれば、高さ調整機構の構造をさらに簡素化できる。
【００４７】
実施例３のランナーユニットにおいて、密巻きしたばね体５５に代えて図１０に示すフレキシブル軸５７を適用することができる。フレキシブル軸５７は、丸線材を密巻きして形成した内ばね５８と、断面が三角形の線材を内ばね５８の外面に巻き付けて形成した外ばね５９とで構成してある。フレキシブル軸５７を伝動要素とする伝動体３０によれば、内ばね５８の外屈曲部分に隙間ができるのを外ばね５９で防いで、調整ねじ２８の調整動作を受動壁５６へ的確に伝動できる。
【００４８】
（実施例４）  図１１ないし図１３は、本発明に係る調整機構を、ボディ１０に組み込んだ前後調整機構に適用した実施例を示す。前後調整機構は、ランナー軸７を調整対象としており、図１２に示すようにボディ１０で回転自在に支持した調整ねじ２８と、調整ねじ２８で往復操作される調整ピース２９と、調整ピース２９の操作腕４１とランナー軸７の受動片２２との間に配置した伝動体３０と、伝動体３０用のガイド溝１７などで構成する。図１１に示すようにボディ１０には、ランナー軸７を前後動可能に案内する前後に長い調整溝７０が形成してあり、調整溝７０はボディ１０に固定した断面が長円状の金属管（アルミニウム管）７１で形成してある。調整溝７０は実施例１における軸穴１５に相当する。前後調整時のランナー軸７の回転を阻止するために、ランナー軸７は断面長円状に形成してある。
【００４９】
伝動体３０を構成する一群のボール４４は、鍵穴形に周回するガイド溝１７に沿って装填してある。ガイド溝１７は、横臥Ｕ字状のＵ字溝７２と、先の金属管７１の周囲に沿うＣ字状のＣ字溝７３とで無端状に形成してあり、Ｕ字溝７２の前側の直線溝に臨んで、操作腕４１の左右移動を許す操作溝７４が形成してある（図１３参照）。同様に、Ｃ字溝７３の直線溝に臨んで、ランナー軸に固定した受動片２２の前後移動を許す操作溝７５が形成してある。図１３に示すように、操作腕４１は横臥Ｌ字状に形成してある。ボディ１０は、ボディ本体１０ｃと、ボディ本体１０ｃの下面に組み付けられる下前ケース１０ｄと下後ケースｅとで構成してある（図１３参照）。
【００５０】
調整ねじ２８を緩み側へ回転操作すると、調整ピース２９がランナー軸７側へ向かって移動して、操作腕４１の右側面に外接するボール４４の一群をＣ字溝７３側へ移動させる。そのため、ランナー軸７の受動片２２はボディ１０の後面側へ移動して、ガイドレール１に対する戸パネルＰ１・Ｐ２の位置を後側へ調整移動できる。このとき、受動片２２の後面と操作腕４１の左側面との間のボール群は、Ｃ字溝７３およびＵ字溝７２に沿って周回し、操作腕４１に追随して移動する。逆に、調整ねじ２８をねじ込み操作すると、調整ピース２９がランナー軸７から遠ざかる向きへ移動するので、ボール４４の一群が上記とは逆向きに移動して、ランナー軸７を前側へ調整移動できる。この実施例においても、中途部が屈曲する伝動体３０で、操作力の伝動と動作方向の変換とを同時に行なうことができる。
【００５１】
図１４および図１５に上記の各実施例とは異なる高さ調整機構の参考例を示す。図１４では、ランナー軸７が固定されるボディ６２と、ボディ６２の左右に設けた揺動軸６３で上下揺動可能に軸支した左右一対のローラーアーム６４と、各ローラーアーム６４の揺動端の前後にローラー軸１２で支持したローラー１１などで走行部５Ａを構成した。ローラーアーム６４の隣接部分には、互いに噛み合うギヤ歯６５・６６が形成してあり、図１４に向かって左側のギヤ歯６５を調整ねじ２８で調整操作して、高さ調整を行なえるようにした。調整ねじ２８はボディ６２に直接ねじ込んであり、その突端でギヤ歯６５に設けた調整座６７を受け止めている。ランナー軸７はピン６８でボディ６２に固定してある。
【００５２】
図１４に示す状態から調整ねじ２８を緩めると、左右のローラーアーム６４が調整ねじ２８に追随して同時に揺動しようとする。このとき、ローラー１１は戸パネルＰ１・Ｐ２の重量を支えてガイドレール１のレール壁８で受け止められている。そのため、ローラー１１が揺動することはなく、ローラーアーム６４の揺動量に相当する距離をボディ６２が下降して吸収する。逆に、調整ねじ２８をねじ込み操作するとボディ６２が上昇する。したがって、調整ねじ２８の締緩操作によって、戸パネルＰ１・Ｐ２の高さを調整することができる。この走行部５Ａは、ローラー１１とボディ６２とが相対的に上下揺動することで高さ調整を行なう点が従来の走行部と大きく異なる。
【００５３】
図１５の走行部５Ａは、図１４の走行部５Ａと同様にローラー１１とボディ６２とが相対的に上下揺動することで高さ調整を行なうが、左右一対のローラーアーム６４を１個の揺動軸６３で軸支する点が異なる。詳しくは、左右一対のローラーアーム６４を交差させ、交差部分を共通する１個の揺動軸６３で軸支して、各ローラーアーム６４を揺動可能に支持した。さらに、図１５へ向かって左側のローラーアーム６４に調整ねじ２８をねじ込んで、右側のローラーアーム６４に設けた調整座６７を調整ねじ２８の突端で受け止めるようにした。この高さ調整機構では、調整ねじ２８をねじ込むと、左側のローラーアーム６４と調整座６７との間隔が大きくなり、調整ねじ２８を緩めると先の間隔が小さくなる。このローラーアーム６４の揺動によって、戸パネルＰ１・Ｐ２の高さを調整することができる。
【００５４】
図１４および図１５の走行部５Ａは次の形態で実施することができる。
ガイドレール１で走行案内される走行部５Ａが、ボディ６２と、ボディ６２で上下揺動可能に支持された一対のローラーアーム６４と、各ローラーアーム６４で軸支したローラー１１とを備えており、
一方のローラーアーム６４を調整ねじ２８で調整操作して、一対のローラーアーム６４とローラー１１とを、ボディ６２に対して相対的に上下揺動できるランナーユニット。
【００５５】
左右一対のローラーアーム６４が、ボディ６２の左右に設けた揺動軸６３で上下揺動可能に支持されており、
両ローラーアーム６４は、隣接部分に設けたギヤ歯６５・６６を介して連動可能に連結されており、
一方のギヤ歯６５に設けた調整座６７が、ボディ６２にねじ込んだ調整ねじ２８の突端で受け止められており、
調整座６７を備えたローラーアーム６４を調整ねじ２８で調整操作して、一対のローラーアーム６４とローラー１１とを、ボディ６２に対して相対的に上下揺動できるランナーユニット。
【００５６】
左右一対のローラーアーム６４を交差させ、交差部分をボディ６２に設けた１個の揺動軸６３で軸支して、各ローラーアーム６４が揺動可能に支持支持されており、
いずれか一方のローラーアーム６４にねじ込んだ調整ねじ２８の突端で、他方のローラーアーム６４に設けた調整座６７が受け止められており、
調整座６７を備えたローラーアーム６４を調整ねじ２８で調整操作して、一対のローラーアーム６４とローラー１１とを、ボディ６２に対して相対的に上下揺動できるランナーユニット。
【００５７】
実施例１では、複数個のボール４４を伝動要素にして伝動体３０を構成したが、ボール４４に代えて、複数個のローラー（転動体）を伝動要素にして伝動体３０を構成することができる。また、ローラー周面の一定位置に周回溝を形成しておき、複数個のローラーを列状に配置したのち、周回溝に巻き掛けたバンドでローラー列を一体化することができる。ボール４４とローラーを組み合わせて伝動体３０を構成してもよい。
【００５８】
実施例３では、密巻きしたばね体５５を伝動要素にして伝動体３０を構成したが、密巻きしたばね体５５に代えて屈曲可能なワイヤーや、屈曲可能なチェーンリンクや、屈曲可能なばね板や、ボールチェーンを適用することができ、必要があれば先の転動体と組み合わせて伝動体３０を構成できる。金属線材を編み込んで形成される屈曲可能なワイヤーを伝動要素とする場合には、その入力端および出力端に金属製のキャップを外嵌固定しておくとよい。屈曲可能なばね板を伝動要素とする場合には、その板厚を基準にしてガイド溝１７を形成しておく。
【００５９】
調整軸部２１は、断面が四角形である必要はなく、少なくとも前後一対の平坦面２０を備えていればよい。丸ピンの両端を断面半円状に切削しておき、これをランナー軸７に圧嵌固定して受動片２２を形成することができる。軸穴１５は、ボディ１０を上下に貫通する状態で形成してあってもよい。ボディ１０は、中央のケースと、同ケースの前後面に固定される前ケースおよび後ケースの３個の部品で構成することができる。ローラー１１は走行部５Ａの前後に４個設ける必要はなく、少なくとも１個あればよい。ガイド溝１７は断面が円形であってもよい。
【００６０】
本発明のランナーユニットは、上吊型の折戸以外に、下荷重型の折戸や引戸などを支持する戸車型のランナーユニットにも適用できる。
【符号の説明】
【００６１】
１  ガイドレール
５  ランナーユニット
５Ａ  走行部
５Ｂ  装着部
７  ランナー軸（調整対象）
１０  ボディ
１５  軸穴
１６  調整穴
１７  ガイド溝
２０  平坦面
２２  受動片
２８  調整ねじ
２９  調整ピース
３０  伝動体
４４  ボール
４７  上直線溝
４８  下直線溝
４９  変向溝
【図１】
2011246939.tif 000003
【図２】
2011246939.tif 000004
【図３】
2011246939.tif 000005
【図４】
2011246939.tif 000006
【図５】
2011246939.tif 000007
【図６】
2011246939.tif 000008
【図７】
2011246939.tif 000009
【図８】
2011246939.tif 000010
【図９】
2011246939.tif 000011
【図１０】
2011246939.tif 000012
【図１１】
2011246939.tif 000013
【図１２】
2011246939.tif 000014
【図１３】
2011246939.tif 000015
【図１４】
2011246939.tif 000016
【図１５】
2011246939.tif 000017